(57)【要約】【課題】形態素解析処理の結果、1単語で表される文字が２つの単語に区分され、あるいは２つ単語で構成される文字が１つの単語として処理されて、意図しない結果が得られることがある。そこで、文字列をユーザーが意図するように素早く変更する処理が必要となる。【解決手段】本願発明に係る表示装置は、１つの文字列を１つの項目として、複数の項目をリストにして表示する表示手段と、ユーザーにより指定された複数の項目に係る文字列を結合した結合文字列を１つの項目として表示手段に表示させ、又は、ユーザーにより指定された１つの項目に係る第１の文字列を複数に区分して表示手段に表示させる制御手段とを備える。【選択図】図６
2014115894.tif 000002
【特許請求の範囲】
【請求項１】
１つの文字列を１つの項目として、複数の項目をリストにして表示する表示手段と、
ユーザーにより指定された複数の項目に係る文字列を結合した結合文字列を１つの項目として前記表示手段に表示させ、又は、ユーザーにより指定された１つの項目に係る第１の文字列を複数に区分して前記表示手段に表示させる制御手段と
を備える表示装置。
【請求項２】
前記区分は、単語又は意味に応じて行われることを特徴とする請求項１に記載の表示装置。
【請求項３】
前記制御手段は、前記区分の結果が複数ある場合に、ユーザーに当該複数の結果を提示し、ユーザーの指定に従って前記第１の文字列を複数に区分することを特徴とする請求項１に記載の表示装置。
【請求項４】
前記制御手段は、ユーザーが前記リストから指定した少なくとも２つの項目に係る文字列を前記結合文字列とすることを特徴とする請求項１に記載の表示装置。
【請求項５】
文字列の意味を検索する検索手段をさらに備え、
前記表示手段は、前記リストの項目に係る文字列の意味を前記検索手段の結果に従って表示することを特徴とする請求項１に記載の表示装置。
【請求項６】
前記検索手段は、前記結合文字列について、結合される文字列の間に補間文字を設けて検索することを特徴とする請求項５に記載の表示装置。
【請求項７】
入力された音声をテキストデータに変換する変換手段と、
前記テキストデータについて形態素解析を実施して、前記リストの項目に係る文字列を作成する作成手段と、
をさらに備えることを特徴とする請求項１に記載の表示装置。
【発明の詳細な説明】
【技術分野】
【０００１】
本発明は、表示装置に関し、特に、ユーザーの指示に基づいて複数の文字列を結合表示又は分離表示する表示装置に関する。
【背景技術】
【０００２】
文章に含まれる単語の意味やその翻訳を検索するシステムにおいて、検索対象となる文章を単語に分割し、そして分割された個々の単語の意味を検索する形態素解析が一般的である。
【０００３】
しかし、形態素解析により分割された文節の区切りが不適切であると、ユーザーが目的とする単語を得られないという課題がある。
【０００４】
例えば、検索対象となる文章を分割して得られる単語について1つの単語として扱う必要があるのに、複数の単語に必要以上に細分化されることがある。また、その逆に、適切に細分化されずに、複数の単語からなる文章を1つの単語として扱うとことがある。
【０００５】
そこで、例えば電子辞書のように、形態素解析された文字列に複数の区切りパターンがある場合、その複数の区切り候補により区切られた文字列のすべてを見出しとして取得・格納する技術が知られている（例えば、特許文献１参照。）。
【先行技術文献】
【特許文献】
【０００６】
【特許文献１】特許第３３７７９４２号公報
【発明の概要】
【発明が解決しようとする課題】
【０００７】
文書に含まれる単語とその意味の一覧を表示するシステムの場合、先行技術によれば、形態素解析結果に多くの揺らぎがある場合、非常に多くのノイズが表示されることになり、ユーザーの利便性を著しく損なうことがある。
【課題を解決するための手段】
【０００８】
上記課題を解決するために、本願発明に係る表示装置は、１つの文字列を１つの項目として、複数の項目をリストにして表示する表示手段と、ユーザーにより指定された複数の項目に係る文字列を結合した結合文字列を１つの項目として前記表示手段に表示させ、又は、ユーザーにより指定された１つの項目に係る第１の文字列を複数に区分して前記表示手段に表示させる制御手段とを備えることを特徴とする。
【発明の効果】
【０００９】
本提案では、形態素解析結果は一つのパターンのみを提示するが、その区切りパターンが誤りの場合でも、マルチタッチ操作による簡便な補正手段を提供する。
【図面の簡単な説明】
【００１０】
【図１】本願発明の実施例に係るシステムを示す図である。
【図２】タッチパネル操作の一例を説明するための図である。
【図３】本願発明の実施例に係るポータブルデバイスのハードウェア構成の一例を示す図である。
【図４】本願発明の実施例に係るサーバーのハードウェア構成の一例を示す図である。
【図５】本願発明の実施例における機能構成を示す図である。
【図６】本願発明の実施例１及び２に係るイベント処理の手順を示すフローチャートである。
【図７】本願発明の実施例１に係る分割処理の手順を示すフローチャートである。
【図８】本願発明の実施例１に係る結合処理の手順を示すフローチャートである。
【図９】本願発明の実施例２に係る結合処理の手順を示すフローチャートである。
【図１０】本願発明の実施例３に係るイベント処理の手順を示すフローチャートである。
【図１１】本願発明の実施例３に係る直接分割処理の手順を示すフローチャートである。
【図１２】本願発明の実施例に係るポータブルデバイスの表示画面の一例を示す図である。
【発明を実施するための形態】
【００１１】
以下、本発明の実施形態について図面を用いて説明する。  
（実施例１）
本願発明を実施するためのシステムの一例について、図１を参照して詳細に説明する。
【００１２】
図１に示すように、当該システムは、インターネット１０１、サーバー１０２、ポータブルデバイス１０３から構成される。サーバー１０２とポータブルデバイス１０３とは、インターネット１０１を介して相互に接続されている。
【００１３】
インターネット１０１は、ファイアウォールを越えて上述の各装置間で情報をやり取りするための通信回線である。ポータブルデバイス１０３からサーバー１０２へのデータ送信はファイアウォールを越えて通信することができる。なお、インターネット１０１は、例えば、ＴＣＰ／ＩＰプロトコルなどをサポートする通信回線網である。ただし、インターネットに限らず、有線・無線を問わずどのような接続形態であってもよい。また、図１では、１台のサーバー１０２が示されているが、複数台であってもよい。
【００１４】
本実施例に係るシステムは、ポータブルデバイス１０３が備えるマイクで集音（又は録音）した会話などの音声データテキストデータに変換し、サーバー１０２が解析することができる。そして、ポータブルデバイス１０３は、解析したテキストデータに含まれるそれぞれの名詞等の要素の意味又は説明をサーバー１０２からの処理結果に基づいて順次表示する。
【００１５】
このように、当該システムは、ユーザーが文字入力（単語入力）せずとも、音声を解析して、解析結果による得られた単語（名詞要素）をポータブルデバイス１０３に一覧表示する機能を備える。また、解析結果により得られた単語の意味をポータブルデバイス１０３が取得し、ユーザーにより選択された単語の意味を表示することもできる。
【００１６】
図１２は、タッチパネルディスプレイを供えるポータブルデバイス１０３に表示される画面の一例を示している。図１２（ａ）における単語セル１２０１〜１２１０には、入力された音声をテキスト化したテキストデータに含まれていたそれぞれの名詞要素を項目として表している。
【００１７】
ユーザーが、タッチパネルディスプレイ上の単語セル１２０１〜１２１０を指でタップして選択すると、タップされた単語セルに表示されている名詞に関する意味又は説明を含んだ意味セルが、タップされた単語セルの直下に隣接して表示される。
【００１８】
例えば、図１２（ａ）の単語セル１２０４（「波動方程式」）がタップされた場合、図１２（ｂ）に示すように、単語セル１２０４に関連付けられた「波動方程式」の意味に係るテキストが意味セル１２２０に表示される。
【００１９】
図３は、ポータブルデバイス１０３のハードウェア構成の一例を示す図である。
【００２０】
ポータブルデバイス１０３は、ＣＰＵ３０１、ＲＡＭ３０２、ＲＯＭ３０３、Input/Outputインターフェース３０４、NIC３０５、マイクユニット３０６、バス３０８を備える。
【００２１】
ＣＰＵ３０１は、ＲＯＭ３０３からプログラムをロードして、ＯＳや一般アプリケーションを実行する。また、ＣＰＵ３０１は、バス３０８に接続される各デバイスを総括的に制御する。
【００２２】
ＲＯＭ３０３は、ＣＰＵ３０１の制御プログラムであるオペレーティングシステムプログラムや、各種データを記憶する。
【００２３】
ＲＡＭ３０２は、ＣＰＵ３０１の主メモリ、ワークエリア等として機能する。
【００２４】
Input/Outputインターフェース３０４は、ディスプレイ表示やディスプレイ上でのタッチ入力等に係る制御を行う。
【００２５】
ＮＩＣ３０５は、例えばNetwork Interface Cardであり、外部のネットワークと接続して他の機器との間の通信を制御する。なお、外部の機器と通信を制御できるものであれば、どのような形態であってもよい。
【００２６】
マイクユニット３０６は、マイク等のデバイスを備え、周囲の音、音声などをデジタル信号で集音する。
【００２７】
図４は、サーバー１０２のハードウェア構成の一例を示す図である。
【００２８】
サーバー１０２は、ＣＰＵ４０１、ＲＡＭ４０２、ＲＯＭ４０３、Input/Outputインターフェース４０４、ＮＩＣ４０５、バス４０６から構成される。Input/Outputインターフェース４０４は、ディスプレイ表示やキー入力等を制御する。その他各デバイスの役割は、ポータブルデバイス１０３と同様であるため、詳細説明は割愛する。
【００２９】
図５は、本実施例に係るシステムの機能構成を示す図である。
【００３０】
サーバー１０２及びポータブルデバイス１０３は、それぞれのＲＯＭ４０３又は３０３に記憶されているプログラムをＲＡＭ４０２又は３０２に展開して実行することにより、図５に示す各機能を実現する。
【００３１】
図５に示すように、ポータブルデバイス１０３は、音声認識部５０１、解析リクエスト部５０２、表示データ送受信部５０７、及び表示/操作部５０８を備える。
【００３２】
音声認識部５０１は、マイクユニット３０６が集音した信号を音声認識し、テキストデータに変換するテキスト化を行う。音声からテキストへの変換技術については、公知の技術を用いることができる。
【００３３】
解析リクエスト部５０２は、音声認識部５０１により得られたテキストデータを、サーバー１０２のリクエスト制御部５０３へ送信するとともに、当該テキストデータの解析を要求する。
【００３４】
表示データ送受信部５０７は、リクエスト制御部５０３が送信した結果データを受信して、それを表示/操作部５０８に表示させる。また、表示データ送受信部５０７は、表示/操作部５０８からの操作信号に基づいてユーザーから指示された単語の意味を送信するように、リクエスト制御部５０３に対して要求する。
【００３５】
表示/操作部５０８は、表示データ送受信部５０７から送信された出力内容をInput/Outputインターフェース３０４を介して表示する。また、表示/操作部５０８は、操作された処理内容を、Input/Outputインターフェース３０４を通じて、表示データ送受信部５０７へ操作信号として送信する。
【００３６】
他方、サーバー１０２は、リクエスト制御部５０３、形態素解析エンジン５０４、意味検索エンジン５０５を備える。
【００３７】
リクエスト制御部５０３は、解析リクエスト部５０２、又は表示データ送受信部５０７が送信した要求を受信し、その内容に応じて形態素解析エンジン５０４、意味検索エンジン５０５を起動させる。また、リクエスト制御部５０３は、形態素解析エンジン５０４の解析結果や意味検索エンジン５０５の処理結果を、表示データ送受信部５０７に送信する。
【００３８】
形態素解析エンジン５０４は、解析要求されたテキストデータに対して形態素解析を実行し、そのテキストデータに含まれる名詞等を要素として抽出して文字列を作成する。なお、具体的な形態素解析の処理アルゴリズムに関しては既知の技術を利用することができる。
【００３９】
意味検索エンジン５０５は、要求された単語の意味について、意味検索エンジン５０５が有する辞書データの中から検索する。あるいは、インターネット１０１を介して他のデータベースを参照するようにしてもよい。そして、意味検索エンジン５０５は、検索により得られた結果をリクエスト制御部５０３に送信する。
【００４０】
図６は、ユーザーがポータブルデバイス１０３の画面に対して操作指示を行うことにより発生したイベントを処理する手順を示すフローチャートである。なお、イベント処理は、まずユーザーが音声入力を実行し、その音声データに係るテキストデータについて形態素解析エンジン５０４により解析された各要素を図１２のよう表示しているときに発生するイベントに係る処理である。
【００４１】
まず、Ｓ６０１で表示/操作部５０８は、タッチイベントの種類を識別する。ここで、タッチイベントとは、ユーザーがポータブルデバイス１０３の画面に対して１本の指で画面にタッチするシングルタッチイベント、又は２本の指で画面にタッチするマルチタッチイベントのうちのいずれかである。
【００４２】
この識別の結果がシングルタッチイベントの場合にはＳ６０２へ進む。Ｓ６０２で表示/操作部５０８は、タッチ先の単語セルに対応する意味セルを、タッチ先の単語セルの周辺、例えば図１２（ｂ）に示すように直下に並べて表示する。
【００４３】
一方、この識別の結果がマルチタッチイベントの場合にはＳ６０３へ進む。Ｓ６０３で表示/操作部５０８は、ユーザーによりタッチされている場所であるイベントの発生個所が、単一の単語セル上のみであるか、２つ以上の隣接する単語セルにまたいで発生しているかを判定する。イベントの発生が、１つの単語セル上のみで発生している場合、Ｓ６０４に進む。
【００４４】
Ｓ６０４で表示/操作部５０８は、さらに、ユーザーの操作がピンチアウト操作であるかどうかを判定する。ピンチアウト操作の場合（Ｓ６０４；ＹＥＳ）、Ｓ６０５で分割処理が実行される。この分割処理は、図７に示す処理手順に従う。
【００４５】
なお、本実施例において、１つの単語セル上でユーザーにより行われるピンチアウト操作は、例えば、図２（ａ）に示すような操作である。すなわち、２本の指で１つの単語セルに接触したまま、画面に触れている２本の指が徐々に直線的に相対する方向に離れて移動するような操作である。
【００４６】
一方、イベントの発生が複数のセルで発生した場合、Ｓ６０６に進む。
【００４７】
Ｓ６０６で表示/操作部５０８は、イベントに係る操作がピンチイン操作であるかどうかを判定する。
【００４８】
ピンチイン操作の場合、Ｓ６０７で結合処理が実行される。この結合処理は、図８に示す処理手順に従う。本実施例におけるピンチイン操作は、例えば、図２（ｂ）に示すような操作である。すなわち、２本の指がそれぞれ異なる単語セルに接触された状態で、徐々に直線的に画面上の１地点へ向けて近づけるような操作である。
【００４９】
なお、Ｓ６０３で特定したイベントの発生が複数上であっても、そのセル同士の間隔が所定の間隔以上であれば、誤操作の可能性が高いため、この場合は特に処理を実行せずに処理を終了する。
【００５０】
＜分割処理＞
次に、Ｓ６０５における分割処理の処理手順について、図７を用いて説明する。分割処理は、ユーザーに選択された単語セルに係る第１の文字列を、表示のために分割する処理である。
【００５１】
まずＳ７２０で表示/操作部５０８は、ユーザーにタッチされている単語セルを対象セルとして特定する。
【００５２】
次に、Ｓ７２１で、表示データ送受信部５０７は、対象セルに係る単語又は文字列のテキストデータをサーバー１０２へ送信する。
【００５３】
次に、Ｓ７２２で、サーバー１０２のリクエスト制御部５０３は、受け取ったテキストデータに関する形態素解析を形態素解析エンジン５０４に実行させる。例えば、受け取ったテキストデータが「波動方程式」であれば、形態素解析エンジン５０４は、「波／動方程式」「波動／方程式」「波動方／程式」「波動方程／式」のように複数の区切りを発見し、この４候補を区切り候補とする。
【００５４】
次に、Ｓ７２３で、リクエスト制御部５０３は、解析された１又は複数の区切り候補を１つのリストにした区切候補リストをポータブルデバイス１０３に送信する。
【００５５】
次に、Ｓ７２４で表示/操作部５０８は、受信した区切候補リストを表示する。
【００５６】
次に、Ｓ７２５で表示/操作部５０８は、ユーザーの操作指示によって、区切候補リストのうち、どの区切り候補が選択されたかを判定する。
【００５７】
Ｓ７２６で表示データ送受信部５０７は、判定した区切り候補を示す情報をサーバー１０２のリクエスト制御部５０３に送信する。
【００５８】
Ｓ７２７でリクエスト制御部５０３は、意味検索エンジン５０５を起動して、送信された区切り候補を示す情報における区分に従って、区分された単語の意味をそれぞれ検索する。
【００５９】
Ｓ７２８でリクエスト制御部５０３は、検索に係る意味情報を、ポータブルデバイス１０３に送信する。
【００６０】
Ｓ７２９で表示/操作部５０８は、対象セルについて、ユーザーに指定された区切りが認識できる形態で表示する。
【００６１】
なお、分割処理Ｓ６０５により、対象セルに係る区切りの各単語の意味を取得しているので、ユーザーがその区切りの単語の意味の表示を指定すれば即座に表示することが可能となる。
【００６２】
＜結合処理＞
次に、Ｓ６０７における結合処理の処理手順について、図８を用いて説明する。
【００６３】
まず、Ｓ８３０で表示/操作部５０８は、ユーザーが画面上で最初に接触していた複数の単語セルを対象セルとして１つに結合して表示する。ここで、指が接触していた２つの単語セルの間に複数のセルが存在する場、ポインティングしたセルとその間に含まれるセル全てが重なるようにしてもよい。
【００６４】
Ｓ８３１で表示データ送受信部５０７は、対象セルに係る結合された文字列である結合文字列をサーバー１０２へ送信する。
【００６５】
Ｓ８３２でリクエスト制御部５０３は、意味検索エンジン５０５を起動して、受信した結合文字列の意味を検索させる。
【００６６】
Ｓ８３３でリクエスト制御部５０３は、その検索が成功したかどうかを判断する。検索の成功とは、例えば、結合文字列の意味を取得できた場合に、検索が成功したものとして処理することができる。
【００６７】
検索に失敗した場合、Ｓ８３４でリクエスト制御部５０３は、結合文字列の意味を取得できなかった旨を送信する。そして、Ｓ８３５でポータブルデバイス１０３の表示/操作部５０８は、結合文字列の意味が検索により取得できなかった旨を表示する。
【００６８】
一方、Ｓ８３３で検索が成功した場合、Ｓ８３６でリクエスト制御部５０３は、検索により得られた結合文字列の意味を送信する。
【００６９】
Ｓ８３７でポータブルデバイス１０３の表示/操作部５０８は、対象セルに結合文字列を表示する。
【００７０】
以上、本願発明の実施例のように、音声による形態素解析結果として表示される各単語セルの区分に誤りがある場合やユーザー所望の区分と異なる形態で単語セルとして区分された場合でも、マルチタッチ操作により簡便に補正できる。
【００７１】
なお、本実施例では、結合操作はピンチイン操作によって行われる事を示したが、「複数セルのポイント+フリック操作」など他の操作でも良い。同じく、分割操作は本実施例においてピンチアウト操作によって行われることを示したが、フリック操作やセルの長押しと呼ばれる一定時間ポインティングするなどの操作でも良い。
【００７２】
また、図１２（ａ）に示すように意味セルが表示されていない状態、又は図１２（ｂ）の意味セル１２２０のように意味セルが表示されている状態のいずれにおいても、本実施例で説明した処理は可能である。
【００７３】
（実施例２）
実施例２は、図８に示した実施例１における結合処理の処理内容を変更したものである。以下、実施例２における結合処理について、図９を用いて説明する。なお、図９において、図８に示す処理と同一内容の処理については同一の参照符号を付している。
【００７４】
まず、Ｓ８３０で実施例１と同様に、表示/操作部５０８は、複数の単語セルを対象セルとして１つに結合して表示する。
【００７５】
次に、Ｓ９０１で表示/操作部５０８は、結合補間文字列を生成し、サーバー１０２のリクエスト制御部５０３へ送信する。結合補間文字列は、結合の指示がされた文字の間に補間文字として「*（アスタリスク）」を挿入したものである。
【００７６】
次に、Ｓ９０２で意味検索エンジン５０５は、結合補間文字列の意味を検索する。
【００７７】
ここで、実施例１では、結合文字列の検索に関し、結合文字列を新しい１つの単語としてその意味を検索している。しかし、結合文字列として各単語を単純に結合しただけではユーザーが所望する文字列が得られない場合がある。
【００７８】
例えば、「砂上の楼閣」という言葉を、音声認識部５０１が認識した場合、形態素解析エンジン５０４は、これを「砂上」「楼閣」という２つの名詞を抽出する可能性が高い。この場合、表示/操作部５０８は、この２つの名詞を並べて表示することになる。
【００７９】
従って、実施例１のように、結合文字列として単純に各単語セルを結合処理すると、「砂上楼閣」となり、ユーザーが音声で発した「砂上の楼閣」と異なるため、ユーザーの目的と異なって検索される可能性がある。
【００８０】
さらに、日本語に限らず、英語や中国語でも同様のケースが想定され、「ＡｏｆＢ」「Ａ的Ｂ」などは、「Ａ」「Ｂ」のように２つの単語として処理され得る。
【００８１】
次に、Ｓ９０３で、意味検索エンジン５０５による検索が成功したか否かが判定される。
【００８２】
検索に失敗すれば実施例１と同様に、Ｓ８３４−Ｓ８３５に係る処理が実行される。一方Ｓ９０３で検索に成功した場合、Ｓ９０４でリクエスト制御部５０３が、ヒットした単語の中から最も文字長が短い文字列を選択する。そして、Ｓ７０５でヒット文字列とその意味情報を、リクエスト制御部５０３が表示データ送受信部５０７に送信する。表示データ送受信部５０７は、ヒット文字列を対象セルとして表示する。
【００８３】
なお、Ｓ９０４〜９０６では、一番短い文字列をヒット文字列としているが、ユーザーがヒット単語を選択できるように、一定数の単語を選択可能な状態で表示するようにしてもよい。
【００８４】
このように、実施例２により、単純に文字列を結合しただけでは意味をなさず、文字列と文字列の間を補間しなくてはならない場合にも、簡便な補正手段を提示することができる。なお、本実施例では、結合操作はピンチイン操作によって行われる事を示したが、「複数セルのポイント+フリック操作」など他の操作でも良い。
【００８５】
（実施例３）
実施例１−２は、分割処理においてユーザーは一つの単語セルでピンチアウトした後にさらに区切り候補を選択する必要があり、ユーザーの利便性に欠けることがある。
【００８６】
そこで、単一の単語セル上でマルチタップを行った場合に、タップされた位置にカーソルを表示し、カーソルが表示された状態でピンチアウトすると、カーソル部分で文字列を分割する直接分割処理を実行する。
【００８７】
すなわち、実施例３におけるイベント処理は図１０のようになる。図１０において、図６に示す処理と同一の処理については同一の参照符号が付してある。
【００８８】
図１０に示すように、Ｓ１００１でピンチアウトされたとき、画面に接触している２本の指の動きに基づいて当該動きの方向を検知する。
【００８９】
指の動きの方向が縦の場合、実施例１で説明した分割処理Ｓ６０５を実行する。
【００９０】
一方、指の動きの方向が横方向の場合、区切り候補を選択する必要がない直接分割処理（Ｓ１００２）を実行する。
【００９１】
図１２に、直接分割処理（Ｓ１００２）の処理手順を示す。
【００９２】
まず、Ｓ７２０で対象セルを特定した後、表示/操作部５０８は、Ｓ１１０１でピンチアウト操作時において表示されたカーソルの位置で対象セルに係る文字列を分割する。
【００９３】
次に、Ｓ１１０２で表示データ送受信部５０７は、分割された文字列をサーバー１０２に送信する。
【００９４】
Ｓ１１０３でサーバー１０２のリクエスト制御部５０３は、受信した各文字列の意味を検索する。
【００９５】
Ｓ１１０４でリクエスト制御部５０３は、検索した意味をポータブルデバイス１０３の表示データ送受信部５０７に送信する。
【００９６】
Ｓ１１０５で表示データ送受信部５０７は、対象セル上に各文字列を表示する。
【００９７】
本実施例により、単純にピンチアウト操作をするだけで分割処理を実行することができる。
【００９８】
なお、分割操作は本実施例においてピンチアウト操作によって行われることを示したが、フリック操作やセルの長押しと呼ばれる一定時間ポインティングするなどの操作に応じて実行するようにしてもよい。
【００９９】
以上、本願発明の実施形態について、実施例１−３に基づいて説明した。本願発明は、図１に示すシステムにより実施可能であることを説明しているが、ポータブルデバイス１０３がサーバー１０２の機能を備えて、ポータブルデバイス１０３のみで本願発明に係る処理を実行することも可能である。
【図１】
2014115894.tif 000003
【図２】
2014115894.tif 000004
【図３】
2014115894.tif 000005
【図４】
2014115894.tif 000006
【図５】
2014115894.tif 000007
【図６】
2014115894.tif 000008
【図７】
2014115894.tif 000009
【図８】
2014115894.tif 000010
【図９】
2014115894.tif 000011
【図１０】
2014115894.tif 000012
【図１１】
2014115894.tif 000013
【図１２】
2014115894.tif 000014